(57)【特許請求の範囲】
【請求項１】
外部との無線送受信機能を有する携帯電話機において、
外部と楽曲情報の送受信を行なう主無線通信手段と、
カラオケ楽曲を演奏するカラオケ機器本体と前記楽曲情報の送受信を行なう短距離無線通信手段と、
前記楽曲情報の記憶保持を行なう記憶保持手段と、を有し、
前記携帯電話機は、前記カラオケ機器本体が採点システムを有するときに、前記採点システムにより採点された採点情報を、前記短距離無線通信手段により取り込み、
前記主無線通信手段は、電子カメラから送信された画像情報と前記採点情報とを含む情報を基地局に送信可能である、ことを特徴とする携帯電話機。
【請求項２】
外部との無線送受信機能を有する携帯電話機と、カラオケ楽曲を演奏するカラオケ機器本体と、を備えて構成されるカラオケシステムにおいて、
前記携帯電話機は、
外部と楽曲情報の送受信を行なう主無線通信手段と、
前記カラオケ機器本体と前記楽曲情報の送受信を行なう短距離無線通信手段と、
前記楽曲情報の記憶保持を行なう記憶保持手段と、を有し、
前記カラオケ機器本体が採点システムを有するときに、前記採点システムにより採点された採点情報を前記短距離無線通信手段により前記携帯電話機に取り込み、
前記主無線通信手段は、電子カメラから送信された画像情報と前記採点情報とを含む情報を基地局に送信可能である、ことを特徴とするカラオケシステム。
【請求項３】
請求項１に記載の携帯電話機または請求項２に記載のカラオケシステムにおいて、
前記楽曲情報は楽曲コードデータを備えて構成されることを特徴とする携帯電話機またはカラオケシステム。
【請求項４】
請求項１乃至３いずれかに記載の携帯電話機またはカラオケシステムにおいて、
前記携帯電話機は、前記楽曲コードデータをカラオケ機器本体に対応するデータに変換するための楽曲コード変換手段を備えて構成される、ことを特徴とする携帯電話機またはカラオケシステム。
【請求項５】
請求項１乃至４いずれかに記載の携帯電話機またはカラオケシステムにおいて、
前記楽曲情報は、前記記憶保持手段によりアーティスト名をメインにしてこれを更に階層化させてツリー構造として保持される、ことを特徴とする携帯電話機またはカラオケシステム。
【発明の詳細な説明】
【０００１】
【発明の属する技術分野】
本発明は、カラオケシステム（カラオケ装置）に係り、より詳細には携帯電話機等の携帯端末の無線通信を活用したカラオケシステム（カラオケ装置）に関するものである。
【０００２】
【従来の技術】
図９は従来のカラオケシステムの構成図であり、カラオケ機器本体１０、リモコン装置１１および曲ガイドブック（図示せず）から構成される。このような従来のカラオケシステムを使用してカラオケ演奏を楽しむには、通常は次のような手順により行なわれる。
・カラオケ使用者らは、曲ガイドブックの選曲リストにより、演奏する楽曲（歌）を選択する。
・対応する楽曲（歌）のキーコードを、付属するリモコン装置１１によりカラオケ機器１０に入力する。
・カラオケ機器１０では、入力されたキーコードに対応する曲（歌）が演奏される。
このようにして、カラオケ使用者らは、各カラオケ装置に付属して設置してある曲ガイドブックの選曲リストのページをめくり、その該当コードを入力して選曲を行なっていた。
【０００３】
【発明が解決しようとする課題】
しかしながら、上に示した従来のカラオケシステム（装置）においては、次に述べるように種々の問題点がある。すなわち、各カラオケ店に備えているカラオケ機器や付属のリモコン装置は、操作に慣れない使用者らにとっては複雑であり、入力ミスを起こす原因となって不具合や不経済を生じてしまう。また、膨大な選曲リストから、自分の好みの楽曲を探すのは大変であるし、時として探しながら目移りしているうちに、歌いたい楽曲を忘れてしまう等の不具合も生じる。そしてまた、自分が歌いたい楽曲を探している間に、他の人に歌われてしまうこともある。
【０００４】
本発明は、上述のような従来装置の問題点に鑑みなされたもので、カラオケ使用者らが、携帯電話機等の携帯端末を利用して、カラオケ機器本体１０にカラオケ楽曲を簡単に入力でき、個人的に楽曲リストを保持することができ、データ更新も自由に行なえるようなカラオケシステム（カラオケ装置）を提供することを目的とする。
なお、本明細書では携帯端末として携帯電話機を使用した場合について主に記載しているが、携帯電話機だけに限らず、これ以外の移動体通信端末・情報端末機器・パソコン等の電子装置を使用した場合についても本発明が適用できるものである。
【０００５】
【課題を解決するための手段】
上述の課題を解決するために、本発明による携帯電話機およびカラオケシステムは次のような手段を用いる。
（１）外部との無線送受信機能を有する携帯電話機において、
外部と楽曲情報の送受信を行なう主無線通信手段と、
カラオケ楽曲を演奏するカラオケ機器本体と前記楽曲情報の送受信を行なう短距離無線通信手段と、
前記楽曲情報の記憶保持を行なう記憶保持手段と、を有し、
前記携帯電話機は、前記カラオケ機器本体が採点システムを有するときに、前記採点システムにより採点された採点情報を、前記短距離無線通信手段により取り込み、
前記主無線通信手段は、電子カメラから送信された画像情報と前記採点情報とを含む情報を基地局に送信可能である。
（２）外部との無線送受信機能を有する携帯電話機と、カラオケ楽曲を演奏するカラオケ機器本体と、を備えて構成されるカラオケシステムにおいて、
前記携帯電話機は、
外部と楽曲情報の送受信を行なう主無線通信手段と、
前記カラオケ機器本体と前記楽曲情報の送受信を行なう短距離無線通信手段と、
前記楽曲情報の記憶保持を行なう記憶保持手段と、を有し、
前記カラオケ機器本体が採点システムを有するときに、前記採点システムにより採点された採点情報を前記短距離無線通信手段により前記携帯電話機に取り込み、
前記主無線通信手段は、電子カメラから送信された画像情報と前記採点情報とを含む情報を基地局に送信可能である。
（３）(１)の携帯電話機または(２)のカラオケシステムにおいて、
前記楽曲情報は楽曲コードデータを備えて構成される。
（４）(１)〜(３)いずれかの携帯電話機またはカラオケシステムにおいて、
前記携帯電話機は、前記楽曲コードデータをカラオケ機器本体に対応(適合)するデータに変換するための楽曲コード変換手段を備えて構成される。
（５）(１)〜(４)いずれかの携帯電話機またはカラオケシステムにおいて、
前記楽曲情報は、前記記憶保持手段によりアーティスト名をメインにしてこれを更に階層化させてツリー構造として保持される。
【０００６】
【発明の実施の形態】
以下、添付図面を参照して本発明によるカラオケシステムの実施の形態を詳細に説明する。
図１は、本発明によるカラオケシステムの一例を示す構成図であり、カラオケ機器本体１０と携帯端末２０（携帯電話機）とを備えて構成される。ここで従来のカラオケシステムで使用していた付属のリモコン装置は、本発明では用いられない。
【０００７】
図２は、本発明によるカラオケシステムの携帯端末２０（ここでは携帯電話機）の装置構成の一例を示すブロック図である。
携帯端末２０（携帯電話機）は、外部と送受信を行なう等の携帯電話機としての標準的機能を実施できる主無線通信手段２０Ａ（携帯電話部Ａに内設）を備えるほか、他の無線通信手段として短距離無線通信手段２０Ｂ（短距離通信部Ｂに内設）を別途備えている。
本発明の主眼は、従来のカラオケシステムで必須であった付属するリモコン装置は用いず、楽曲コードテータをカラオケ機器本体１０に対して、携帯端末２０（携帯電話機）が有する短距離通信部Ｂ内の短距離無線通信手段２０Ｂを使用して送信することにある。
【０００８】
短距離無線通信手段２０Ｂは、省電力無線通信手段とも云うが、１０ｍ程度までの短距離間で移動体通信端末やパソコン等の機器を接続する低価格の無線伝送技術手段であり、この伝送距離は追加増幅機器を用いることにより１００ｍ程度まで延長することも可能である。一例を挙げれば、Bluetoothと呼ばれるものが市場に出ている。
【０００９】
図２のブロック図に示すように、携帯端末２０（携帯電話機）の携帯電話部Ａは、アンテナ２７、ＲＦ部２８、ベースバンド部２９、３ＧＰＳ・ＰＳ部２３（Packet Switching 部）を有するソフトウェア処理部（ＣＰＵ）２２、ＭＭＩ(Man-Machine-Interface)部２６、不揮発性メモリ２１（記憶保持手段）等による主無線通信手段２０Ａを備えて構成されている。ここで使用されるソフトウエア・プロトコル・スタックは、IMT-2000では３ＧＰＰを用いるのがよいが、ＰＤＣ等のような他のプロトコルを用いてもよい。
一方の短距離通信部Ｂは、アンテナ３０、ＲＦ部３１、ベースバンド部３２、携帯電話部Ａと接続または共有されるソフトウェア処理部（ＣＰＵ）２２と記憶保持手段（不揮発性メモリ２１）、短距離通信ＰＳ部２４等による短距離無線通信手段２０Ｂを備えて構成されている。
【００１０】
図２に示すような構造を有する携帯端末２０（携帯電話機）により、使用者らは楽曲情報の入力を行なう。
入力の仕方のひとつとしては、使用者らがＭＭＩ部２６(Man Machine Interface)（ユーザーインターフェイス）を使用して直接に楽曲情報の入力を行なうものであり、このときは使用者ら自身が歌いたい楽曲や１８番である楽曲の「楽曲名と楽曲コードデータ」を入力するとよい。
また別の入力の仕方としては、携帯電話機の通話エリアにある外部の無線基地局から楽曲情報をダウンロードしてもよい。図３には、基地局４０から携帯端末２０（携帯電話機）に楽曲情報をダウンロードする様子を示している。
【００１１】
これらの得られた楽曲情報は、不揮発性メモリ２１（記憶保持手段）によりテーブルとして保持される。この保持の仕方としても種々考えられるが、一例としては、図５に示すように、アーティスト名をメインにしてこれを更に階層化させてツリー構造にするのがよい。この場合は、基地局４０からの楽曲情報をダウンロードした際にも、この中にアーティスト名の情報が含まれている。
【００１２】
そして、実際にカラオケシステムで使用するにあたっては、使用者らは自分で登録していた楽曲情報の中から歌いたい楽曲の曲名を選択し、その楽曲コードデータをカラオケ機器本体１０に送信することにより、カラオケシステムでの楽曲演奏が可能になる。
図４は、携帯端末２０（携帯電話機）の画面表示の一例を示している。ここでは、使用者らはまず［曲選択］の画面において１８番カラオケの楽曲の一覧を表示させる。その中から”渚のシンドパッド”を選んだのなら、次に［送信］の画面に移行して、楽曲名”渚のシンドパッド”とそれに対応する楽曲コードデータをカラオケ機器本体１０に送信する。
【００１３】
さて、カラオケ機器本体１０に、携帯端末２０（携帯電話機）を介して、楽曲情報（楽曲コードデータ等）を入力するときには、次のような５種類のパターンが想定される。
ケース1）基地局４０からのダウンロード・データに対応（適合）するカラオケ機器本体１０を使用する。
ケース2）基地局４０からのダウンロード・データを既存のカラオケ機器本体１０に対応するよう変換して使用する。
ケース3）ＭＭＩ部２６(Man-Machine-Interface)（ユーザーインターフェイス）からの入力データに対応するカラオケ機器本体１０を使用する。
ケース4）ＭＭＩ部２６(Man-Machine-Interface)（ユーザーインターフェイス）からの入力データを、既存のカラオケ機器本体１０に対応するよう変換して使用する。
ケース5）カラオケ・データとして統一された規格等が存在し、変換不要で全てのカラオケ機器本体での使用が可能となっている。
【００１４】
この中で、データ変換を必要とするケースは2)と4)であり、このような場合は、「ソフトウェア・キーコード変換部」なるコード変換テーブルが必要となる。これはプログラムとしてでも実行が可能であり、本発明では楽曲コード変換手段を備えて構成されるのがよい。
図６は、本発明による楽曲コード変換手段を有するカラオケシステムの一例を示す構成図であり、また、図７はその携帯端末２０（携帯電話機）の構成の一例を示すブロック図である。
【００１５】
これらの図では、カラオケ機器本体１０と携帯端末２０（携帯電話機）の構成の他に、ソフトウェア・キーコード変換部２５（図６）、またはコード変換処理部２５’（図７）、を備えて構成される。これらの楽曲コード変換手段は、別途独立して装置形成されてもよいが、カラオケ機器本体１０または携帯端末２０（携帯電話機）に内蔵させる構成にするのが実用的である。
図６において、アプローチＡは携帯端末２０（携帯電話機）側に、またアプローチＢはカラオケ機器本体１０側に、ソフトウェア・キーコード変換部２５を内臓させて配設すること示している。
【００１６】
さて、前の段落００１３に戻って、ケース1）ケース3）ケース5）の場合においては、このようなキーコード変換処理は不要である。基地局側のＮＷ（ネットワーク）のサービスとして、カラオケ店と連動することで、カラオケをやりながらネットワーク・サービスで楽曲コード・データをダウンロードすることも可能である。そして、これはネットワークのカラオケ楽曲コード・データをダウンロード・サービスで検索機能がついていると更に便利である。
【００１７】
図８は、本発明によるカラオケシステムの他の実施の態様を示す構成図である。  ここでは、カラオケ機器本体１０、携帯端末２０（携帯電話機）、基地局４０、電子カメラ装置５０を備えて構成されており、携帯端末２０（携帯電話機）は、外部と送受信を行なうための標準的機能を実施できる主無線通信手段２０Ａ（携帯電話部Ａ）のほか、他の無線通信手段として短距離無線通信手段２０Ｂ（短距離通信部Ｂ）を別途備えている。
【００１８】
図８において、本発明によるカラオケシステムは、次に示すとおりのステップで実施される。
▲１▼基地局４０側のＮＷ（ネットワーク）からダウンロードしたデータを携帯電端末２０に取り込む。
▲２▼取り込んだデータを短距離無線通信手段２０Ｂ（短距離通信部Ｂ）を通してカラオケ機器本体１０に入力して、カラオケ演奏を行なう。
▲３▼このカラオケシステムが、採点システムを有しているならば、そのデータ［α］を、短距離無線通信手段２０Ｂを使用して携帯端末２０に取り込む。
▲４▼携帯電話機通信プロトコル（例えば３ＧＰＰ）を使用して、基地局４０にそのデータ［α］を返信する。（注１）
▲５▼そして更に短距離無線通信手段２０Ｂを利用して、電子カメラ装置５０のスチール・イメージを携帯端末２０に送信する。
▲６▼そのデータ［β］を基地局４０に送信する。（注１）
【００１９】
なお、前の段落［００１８］において（注１）が付いた各ステップ（▲４▼と▲６▼）の実施するにあたっては、携帯端末２０の使用者（保持者、発信者ら）の意思により行なうとよい。
このような▲１▼〜▲６▼のステップを実行するならば、これらのデータ［α］とデータ［β］の利用の仕方によっては、レコード・デビュー（新人らのスカウト）等のシステムとして機能させることができる。
【００２０】
本発明のポイントは、従来のカラオケ装置で使用していた装置付属のリモコン装置を用いるのではなく、楽曲情報をカラオケ機器本体に対して、使用者らがパーソナルに所有している携帯端末（携帯電話機）を利用して行なうことであり、しかも携帯端末（携帯電話機）には短距離無線通信手段を備えさせており、これを使用して簡単で容易に楽曲情報を入力して送受信することにある。そして、基地局からのダウンロードも容易であり、個人的に楽曲リストを保持することができ、データ更新も自由に行なえるようなカラオケシステムを構成できる。
【００２１】
【発明の効果】
このように本発明によるカラオケシステムにおいては、次のような優れた効果を発揮する。なお、次の効果の記載は請求項に対応している。
（１）個人的に保有している携帯端末２０（携帯電話機）と、カラオケ機器本体１０とを無線送受信で接続するようなカラオケシステムとして構成し、そのうえ主無線通信手段２０Ａの他に、カラオケ機器本体１０と楽曲情報の送受信を行なう短距離無線通信手段２０Ｂと、楽曲情報の記憶保持を行なう記憶保持手段２１と、を備えて構成されるカラオケシステムとしたので、使い勝手が良く高性能のカラオケシステムが低価格で容易に実現ができ、楽曲情報の保持や外部からのダウンロードなども自在であり、タイムリーで日々更新可能なパーソナルシステムが構築でき、楽曲コードの選定保管も自在にできるようになり、カラオケ店でも求める演奏楽曲のスムーズな入力が可能になった。
【００２２】
（２）携帯端末２０は楽曲情報の送受信を行なうインターフェイス（ＭＭＩ部２６）を備えて構成されているので、従来の付属リモコン装置のような使い方もできるので、使用者らは入力操作がやりやすい。
（３）携帯端末２０は、主無線通信手段２０Ａにより外部基地局４０と楽曲情報の送受信を行なうように構成されるので、多くの楽曲情報の中から簡単で容易に使用者らの好みの情報を取得することができる。
（４）楽曲情報は楽曲コードデータを備えて構成されるので、使用者らは簡単で確実に求める楽曲情報の送受信が可能となる。
（５）楽曲コードデータをカラオケ機器本体１０用データに変換するための楽曲コード変換手段（ソフトウェア・キーコード変換処理部２５等）を備えて構成されるので、カラオケデータの対応していないカラオケ機器の機種に対しても、スムーズなデータ移動がなされる。
（６）携帯端末２０は短距離無線通信手段２０Ｂにより他の電子装置（電子カメラ装置５０等）と情報の送受信を行なうよう構成されるので、レコード・デビュー（新人らのスカウト）等のような新たに付加価値のあるカラオケシステムを構築することができる。
【図面の簡単な説明】
【図１】本発明によるカラオケシステムの一例を示す構成図である。
【図２】本発明によるカラオケシステムの携帯端末（携帯電話機）にかかる装置構成の一例を示すブロック図である。
【図３】本発明によるカラオケシステムにおいて、基地局４０から携帯端末２０（携帯電話機）に楽曲情報をダウンロードする様子を示す図である。
【図４】本発明によるカラオケシステムにかかる携帯端末（携帯電話機）の画面表示の一例を示す図である。
【図５】本発明による楽曲情報保持の仕方の一例として、アーティスト名をメインにして階層化させたツリー構造として示した図である。
【図６】本発明による楽曲コード変換手段（ソフトウェア・キーコード変換処理部２５）を有するカラオケシステムの一例を示す構成図である。
【図７】本発明による携帯端末（携帯電話機）の構成にかかる他の例を示すブロック図である。
【図８】本発明によるカラオケシステムにかかる他の実施の態様を示す構成図である。
【図９】従来のカラオケシステムの構成図である。
【符号の説明】
１０    カラオケ機器本体
２０    携帯端末
２０Ａ  主無線通信手段
２０Ｂ  短距離無線通信手段
２１    記憶保持手段、
２５    ソフトウェア・キーコード変換処理部
２５’  コード変換処理部
２６    ＭＭＩ部（インターフェイス）
４０    基地局
５０    電子カメラ装置（他の電子装置）
【図１】
0004414586.tif 000002
【図２】
0004414586.tif 000003
【図３】
0004414586.tif 000004
【図４】
0004414586.tif 000005
【図５】
0004414586.tif 000006
【図６】
0004414586.tif 000007
【図７】
0004414586.tif 000008
【図８】
0004414586.tif 000009
【図９】
0004414586.tif 000010